(57)【要約】【課題】  宇宙や大気中や水中で利用可能な、電気と磁力により推進力を得る推進原理と装置は、今までほとんど存在しなかった。【解決手段】  熱に強く電気を通しにくい装置の面１０に放電用の電極３１、３２を設け、この電極間に磁界を発生する磁極２１を装置に設ける。この電極にプラスとマイナスの電圧を加え放電させ、２つの電極間に電流を流し磁極から磁界を発生させる。この電流と磁界に相互作用が発生し放電電流は磁界により力を受け移動する。同時にこの反作用を磁界が受け磁極の有る装置も力を受ける。この力は一時的な物であるが、放電を断続的に繰り返す事によってこの力を連続して得る事が可能である。【選択図】図１
2011220318.tif 000002
【特許請求の範囲】
【請求項１】
熱に強く電気を通しにくい装置の面に放電用の電極を２つ設け、この電極間に磁界を発生する磁極を装置に設ける。この電極にプラスとマイナスの電圧を加え放電させ、２つの電極間に電流を流し磁極から磁界を発生させる。この電流と磁界に相互作用が発生し放電電流は磁界により力を受け移動する。同時にこの反作用を磁界が受け磁極の有る装置も力を受ける。この力は一時的な物であるが、放電を断続的に繰り返す事によってこの力を連続して得る事が可能である。この原理を利用し力を得る装置。
【請求項２】
放電が移動可能な長い電極を有する請求項１記載の装置。
【請求項３】
磁極面をドーム状に盛り上げ、ドームの外周を３分割するように放電用の長い電極を設け、その内の２つを選択して放電する請求項２記載の装置。
【請求項４】
多数の電極を設け選択的に使用する請求項１〜３記載の装置。
【請求項５】
高電圧や高周波電磁場や、液体や気体や固体の噴射やそれらの塗布など、放電を容易にする装置を有する請求項１〜４記載の装置。
【請求項６】
請求項１〜５記載の装置に覆いを付けたり密閉した装置。
【請求項７】
請求項１〜６記載の装置を複数設けた推進装置。
【発明の詳細な説明】
【技術分野】
【０００１】本発明は宇宙や大気中や水中で利用可能な、電気と磁力により推進力を得る装置に関する。
【背景技術】
【０００２】
【発明の開示】
【発明が解決しようとする課題】
【０００３】宇宙や大気中や水中で利用可能な、電気と磁力により推進力を得る推進原理と装置は、今までほとんど存在しなかった。
【課題を解決するための手段】
【０００４】熱に強く電気を通しにくい装置の面に放電用の電極を２つ設け、この電極間に磁界を発生する磁極を装置に設ける。この電極にプラスとマイナスの電圧を加え放電させ、２つの電極間に電流を流し磁極から磁界を発生させる。この電流と磁界に相互作用が発生し放電電流は磁界により力を受け移動する。同時にこの反作用を磁界が受け磁極の有る装置も力を受ける。この力は一時的な物であるが、放電を断続的に繰り返す事によってこの力を連続して得る事が可能である。高電圧放電は宇宙や大気中や水中で発生可能であるため、本発明はこれらの環境で推進力を得る装置になる。
【発明を実施するための最良の形態】
【０００５】図１は本発明を示した外観図である。装置１０の面に放電用の電極３１、３２と磁極２１を設ける。磁極２１をＮ極とする強い磁界を発生させ、電極３１をプラス、３２をマイナスとして高電圧を加えれば電極間に放電が始まり大電流が流れる。放電電流は磁界と相互作用を受け下に移動し、その反作用として磁極２１を有する装置１０は上方向に力を受ける。放電を断続的に繰り返す事で装置１０は上方向に継続して推進力を得る。【０００６】図２は本発明を示した外観図である。装置１０の面に長い放電用の電極３１、３２と磁極２１を設ける。磁極２１をＮ極とする強い磁界を発生させ、電極３１をプラス、３２をマイナスとして高電圧を加えれば、放電は間隔が狭い図の上の部分に発生する。放電電流は磁界と相互作用を受け下に移動し、その反作用として磁極２１を有する装置１０は上方向に力を受ける。放電が電極の下まで移動したら電流を切り、再度高電圧を加えることで放電はまた電極の上の部分から始まる。この例のように放電が移動できる長い電極を使用する事で、放電距離や放電時間が延びるなど効率向上が可能である。【０００７】本発明は、コイルを使い交流電流と双方向磁界にする事も可能である。またコイルを使い断続的な直流電流と片方向磁界にする事も可能である。推進力は放電電流と磁界の強さと放電時間と放電距離に影響されるので、これらを制御する事で推進力をコントロールする事が可能である。【０００８】図５は本発明の電気回路の例である。電源５１の電圧を上げれば放電用の電極３１，３２間に電界が発生する。この状態では電流は流れずコイル４１は磁界を発生しない。更に電圧を上げれば放電が始まる。放電が始まればこの回路に電流が流れコイル４１は磁界を発生し磁極２１になる。装置の面は省略している。【０００９】コイル４１には電流の変動を抑え放電を安定させる効果も有る。電源５１に放電後の電流を安定させる回路や大容量コンデンサーを設ける事で、更に安定した動作が期待できる。この回路は断続的な直流や交流回路に使用可能な例である。【００１０】図３は本発明を複数設けた推進装置の例を示した外観図である。１１は機体であり円柱形である。この機体に本発明の装置を片側に３個づつ計６個設けている。これら複数の装置は磁気回路で繋がっており、個々の推進力を制御する事で姿勢制御と推進を可能にしている。機体中央の磁極２２部分の電極は横向きであり横方向に推進力を発生する。後退する場合は電極を回転や移動させれば可能である。この例のように本発明を複数設けることで複雑な動きをする推進装置が可能になる。【００１１】図４は本発明を回転形の推進装置の下端に設けた例を示した外観図である。機体１１の下端部分１２は円錐やドーム状に盛り上がっている。コイル４１によりほぼ下端全体がドーム状の磁極２４になっている。磁極２４の外周を３分割するように放電用の電極３１、３２，３３を設けている。電極３２の半分と電極３３は裏側に位置し見えないので網線で表している。【００１２】電極３１をプラス、３２をマイナスとして電圧を加えれば、放電は最も電極が近い１３の部分に発生する。磁極２４がＮ極の磁界を発生している場合、電流と磁界の相互作用による力は直行方向であり、放電は磁極２４の中心に向って移動する。ただし磁極２４の中心部分が膨らんでいるので放電は図の下方向にも移動する。これにより推進力は１２から１３の方向に発生する。次に３２から３３に向って放電電流を流し、次に３３から３１に向って放電電流を流す。そしてまた３１から３２に向って放電電流を流す。【００１３】この一連の放電を繰り返せば、各電極間の放電電流は次々と外周から中心下方向に流れ、推進力は合成されて機体１１は図の上方向の推進力を得る。また特定の電極間の放電電流のみを増減すれば、推進力が偏り機体は傾くことになる。これにより磁極が１つでも複雑な姿勢制御をすることが可能である。【００１４】図６は多数の電極を設けた例を複数示している。２１は磁極であり３１は多数の電極の一つである。多数の電極を設け電極を選択して放電する事で推進力の方向を変える事が可能である。また電極の発熱や消耗を分散させ装置の安定化に繋げる事も可能である。【００１５】本発明の装置の動作中は、装置周囲に放電が発生しているため不用意に人間や物が近づけば危険である。その対策として、放電が発生している部分に覆いを付けて隠したり密閉することによって安全性を高める事も重要である。【００１６】また放電の制御が重要な要素になるため、高電圧や高周波電磁場や、液体や気体や固体の噴射やそれらの塗布など、放電を容易にする装置を設ける事で放電を容易にし放電電圧を下げる事が可能になる。またそれらを止めることで放電を抑制する事も可能になる。【００１７】本発明はモーターの回転子や建築物の荷重低減など推進装置以外への応用も考えられる。
【図面の簡単な説明】
【００１８】
【図１】  本発明の装置の外観図
【図２】  本発明の装置の外観図
【図３】  本発明を複数設けた推進装置の例を示した外観図
【図４】  本発明を下端に設けた推進装置の例を示した外観図
【図５】  本発明を回路例を示した図
【図６】  本発明の装置で電極を多数設けた例を複数示した図
【符号の説明】
【００１９】１０    装置
１１    機体
１２〜１３    機体の部分
２１〜２３    磁極
２４    ドーム状磁極
３１〜３３    電極
４１    コイル
５１    電源
【図１】
2011220318.tif 000003
【図２】
2011220318.tif 000004
【図３】
2011220318.tif 000005
【図４】
2011220318.tif 000006
【図５】
2011220318.tif 000007
【図６】
2011220318.tif 000008